Podtech/llm-jp-corpus-v4-ja_patent huggingface dataset:
(57)【要約】      （修正有）【課題】偶数円と奇数円の両方の円を描くことが出来るコンパスを提供する。【解決手段】正確な円を描くことの出来る長方形の板上の一直線上に２個の０点を持つコンパスで構成している。使う時は０点を針で固定し偶数円は偶数目盛を使い、奇数円は奇数目盛を使う。シヤープペンシル又は鉛筆を半径の穴に入れてぐるりとまわして、円を描く。偶数円の数値の円で一直線上の中部を０点として使用した方が板のバランスがよい場合、又はまわしやすい場合０点を線上で移動可能である。奇数円の場合は下の奇数円用の０点を固定して使用する。【選択図】図１
0003151572.tif 000002
【実用新案登録請求の範囲】
【請求項１】
長方形の板上の一直線上に穴をあけ偶数円用の０点と奇数円用の０点の合計２個の０点を持つ長方形コンパス。
【請求項２】
長方形の板上の一直線上の穴の両側に偶数目盛と奇数目盛の両方をもち一直線上の穴を偶数目盛にも奇数目盛にも使えるようにした長方形コンパス。
【請求項３】
偶数目盛０点の下方に３ｍｍ又は５ｍｍの奇数目盛の穴をあけその３ｍｍ又は５ｍｍのどちらか一方を奇数の０点にしたコンパス。
【考案の詳細な説明】
【技術分野】
【０００１】この考案は長方形の板の中央に一直線を引き、その一直線、下方にまず、偶数の０点の穴をあける、次に０点の上方に２ｍｍかんかくで穴をあける、次にこの目盛の数値を片側にめもり、偶数の円の時に使用する
次に奇数の０点は偶数の０点より下方にまず２ｍｍの穴一点をあけ、更に下に３ｍｍの穴をあける、即ち偶数の０点の下に２ｍｍと３ｍｍの２点の穴をあける。【０００２】奇数の０点は偶数の０点より下方５ｍｍの位置が奇数の０点である、又３ｍｍの穴を偶数の０点より下方に１個あけ、それを奇数の０点にしてもよい。奇数目盛は偶数目盛の反対側にめもり、数値に合わせて奇数円を描く時は奇数目盛に合わせて使用する。偶数＋奇数＝奇数になるので１つの穴が０点を２個作ることにより、偶数円と奇数円の両方の円を描くことが出来る便利なコンパスである
【背景技術】
【０００３】從来の２本足のコンパスは、回数を重ねて使っていくほどに、だんだんとゆるんで、円が２重になって、ずれて、円が不正確な円になり困っていた、これを解決したコンパスである
【考案の開示】
【考案が解決しようとする課題】
【０００４】この考案のコンパスは、長方形の板なので伸びたり、ゆるんだりして、円がずれたりしない
又０点を２個、作ることにより偶数円用の線と奇数円用の線を２本引く必要がない。穴も最短２ｍｍかんかくなので、穴をあけることが可能である。形の大きさも、コンパクトに出来筆箱に入れて簡単に持ちはこべる便利なコンパスである
【実施例】
【０００５】使う時は０点を針で固定し偶数円は偶数目盛を使い、奇数円は奇数目盛を使う、シヤープペンシル又は鉛筆を半径の穴に入れてぐるりとまわして、円を描く偶数円の数値の円で一直線上の中部を０点として使用した方が板のバランスがよい場合、又はまわしやすい場合０点を線上で移動可能である奇数円の場合は下の奇数円用の０点を固定して使用する
【図面の簡単な説明】
【０００６】
【図１】本考案の正面図
【符号の説明】
【０００７】Ａ、板
Ｂ、目盛
Ｃ、穴
Ｄ、偶数の０点の穴
Ｅ  奇数の０点の穴
【図１】
0003151572.tif 000003
【手続補正書】
【提出日】平成21年4月16日(2009.4.16)
【手続補正１】
【補正対象書類名】実用新案登録請求の範囲
【補正対象項目名】全文
【補正方法】変更
【補正の内容】
【実用新案登録請求の範囲】
【請求項１】
長方形の板上の一直線上に穴をあけた長方形コンパスであって、半径の長さが偶数の円（以下、「偶数円」という。）のための０点と半径の長さが奇数の円（以下、「奇数円」という。）のための０点の合計２個の０点の持つ長方形コンパス。
【請求項２】
長方形の板上の一直線上の穴の両側に偶数目盛と奇数目盛を持ち、前記偶数円のための０点を中心としたときは前記各穴をその側部の偶数目盛に対応する半径の円を描くのに使うことができ、前記奇数円のための０点を中心としたときは前記各穴をその側部の奇数目盛に対応する半径の円を描くのに使うことができるようにした請求項１に記載の長方形コンパス。
【請求項３】
偶数目盛０点の下方３ｍｍまたは５ｍｍの位置に穴をあけそのどちらか一方を奇数円のための０点とした請求項１または２に記載の長方形コンパス。
【手続補正２】
【補正対象書類名】明細書
【補正対象項目名】０００１
【補正方法】変更
【補正の内容】
【０００１】
この考案は、長方形の板の中央に一直線を引き、その一直線、下方（長手方向において一方の端部寄り、以下同じ。）にまず、半径の長さが偶数の円（以下、「偶数円」という。）のための０点の穴をあける。次に０点の上方（長手方向において他方の端部寄り、以下同じ。）に２ｍｍ間隔で穴をあけ、さらに、０点から穴までの距離を直線の片側にめもり、偶数円を描くときに使用する。
また、偶数円用０点より下方３ｍｍの位置に穴１個をあけ、さらにその下方２ｍｍの位置にも穴をあける。すなわち、偶数円用０点の下方３ｍｍと５ｍｍの位置に２個の穴をあける。
【手続補正３】
【補正対象書類名】明細書
【補正対象項目名】０００２
【補正方法】変更
【補正の内容】
【０００２】
偶数円用０点より下方５ｍｍの位置が奇数円（半径の長さが奇数の円、以下同じ。）のための０点である。または、前記の偶数円用０点より下方３ｍｍの位置の穴を奇数円用の０点としてもよい。前記いずれかの奇数円用０点からの距離を偶数目盛の反対側に奇数目盛としてめもり、奇数円を描くときは奇数目盛の数値に合わせて使用する。偶数＋奇数＝奇数になるので、各穴に対して偶数円用と奇数円用の２個の０点を持つことにより、奇数円と偶数円の両方の円を描くことのできる便利なコンパスである。
【手続補正４】
【補正対象書類名】明細書
【補正対象項目名】０００７
【補正方法】変更
【補正の内容】
【０００７】
１  板
２  目盛
３  穴
４  偶数円用０点の穴
５  奇数円用０点の穴
【手続補正５】
【補正対象書類名】図面
【補正対象項目名】図１
【補正方法】変更
【補正の内容】
【図１】
0003151572.tif 000004
(57)【要約】      （修正有）【課題】防汚・除菌・消臭に役立つ石、紙の塊、プラスチックの塊、木の塊を提供する。【解決手段】飾石の石、紙の塊、プラスチックの塊又は木の塊の表面に酸化チタン粉を加工したことを特徴とする。【選択図】図１
0003151580.tif 000002
【実用新案登録請求の範囲】
【請求項１】
飾石、石、砂に酸化チタン加工をしたもの
【請求項２】
紙の塊、粒状物に酸化チタン加工をしたもの
【請求項３】
プラスチックの塊、粒状物に酸化チタン加工をしたもの
【請求項４】
木の塊、粒状物に酸化チタン加工したもの
【考案の詳細な説明】
【技術分野】
【０００１】本考案は、飾石、石、砂、紙、プラスチック、木の塊・粒状物に酸化チタンを加工し、触媒効果・親水性により、防汚・除菌・消臭に役立てる物である。
【背景技術】
【０００２】飾石、庭の石、砂が日時と共に汚れ、美観が保てないでいた、復元するのに苦慮している。子供の遊具が汚れて困っていた。
犬・猫等動物の排泄汚物の対応として、一般の砂の代わりとして紙、木の塊・砂等を利用していたが、菌、臭い等で処理するまでの間、苦慮していた。
【考案の開示】
【考案が解決しようとする課題】
【０００３】  飾石、庭の石、砂が日時と共に汚れやカビで黒ずんだり美観を保てないでいたが、酸化チタン粉を表面加工することで、この解決に役立てようとするものである。
紙で作った塊・粒を動物の遊び場所や、汚物発生場所に使用し、菌・臭いの対応で苦慮していたが、処理するまでの間の菌の増殖や、臭いを抑えることができる。
プラスチック、木の加工品の塊・粒はゴミや汚れが付きやすく、元の状態で維持させるのに困っていたが、この現象改善に役立てようとするものである。
【考案が解決しようとする課題】
【０００４】本考案は酸化チタン粉を、飾石、石、砂、紙、プラスチック、木の塊・粒に表面加工することにより、酸化チタンの触媒特性・親水性で防汚、除菌、消臭に役立たせるものである。
【考案の効果】
【０００５】酸化チタンは触媒特性があり、上述物体に酸化チタン粉を表面加工することで空気対流時に汚、菌、臭等悪影響を防いだり、減少させるのに役立つものである、又、同物体の実用性を広げる。
【考案を実施するための最良の形態】
【０００６】効率、効果を発揮させるため、酸化チタン粉を上述物体に用途別に添付方法を変え表面加工する。紫外線による触媒増進に為、二次的紫外線対応があれば、より一層効果を促進させる。
【実施例】
【０００７】飾石や庭の敷石としての石、砂が黒く汚れるのが、加工砂にしておくと、触媒効果・親水性で雨が降る度に汚れが落ちきれいになる。またプラスチック砂も同様である。【０００８】紙の塊、粒状物に加工して犬猫トイレ用砂として使用し、臭いの発生を抑えて除菌にも役立てる。【０００９】プラスチックの塊・粒状物に表面加工し、子供の遊びものとして汚れ、菌を軽減させる、又、水洗いできれいになる。【００１０】木製の塊、粒状物に表面加工し、汚れ解決、復元。付着した臭い、菌の軽減に役立ち、水洗いでキレイになる。【００１１】凹凸のあるものは特に加工しておくと、触媒効果・親水性で、水洗いできれいになる。
【図面の簡単な説明】
【００１２】
【図１】酸化チタン粉を表面加工した図面である。本体物質は飾石、石、砂、紙、プラスチックの塊、粒で形状は定められない。
【符号の説明】
【００１３】１  塊、粒の本体
２  酸化チタン粉
【図１】
0003151580.tif 000003
【手続補正書】
【提出日】平成21年4月1日(2009.4.1)
【手続補正１】
【補正対象書類名】実用新案登録請求の範囲
【補正対象項目名】全文
【補正方法】変更
【補正の内容】
【実用新案登録請求の範囲】
【請求項１】
表面に酸化チタン粉を加工したことを特長とする飾石の石
【請求項２】
表面に酸化チタン粉を加工したことを特長とする紙の塊
【請求項３】
表面に酸化チタン粉を加工したことを特長とするプラスチックの塊
【請求項４】
表面に酸化チタン粉を加工したことを特長とする木の塊
(57)【要約】      （修正有）【課題】強固に固定されている木枠材を、中腰になることもなく、テコの原理の僅かな力で、木枠材自体を釘と一緒に分離・解体することが出来る木枠ばらし器を提供する。【解決手段】Ｌ型のアングル状の金属体のＬ形の一面に、一方の木枠材を跨ぐようにＵ型に打抜き部を設け、他のＬ形面に長い柄を溶接して木枠ばらし器を構成する。【選択図】図１
0003151579.tif 000002
【実用新案登録請求の範囲】
【請求項１】
木枠材の幅より広く、Ｕ型に加工したアングル状の物に、長い柄を固定した木枠ばらし器。
【考案の詳細な説明】
【技術分野】
【０００１】  本考案は、木枠を解体する時に使用する木枠ばらし器に関する。
【背景技術】
【０００２】  従来の解体は、釘抜きや金槌を使用して解体していた。
【考案の開示】
【考案が解決しようとする課題】
【０００３】  木枠は梱包の際、輸送時に振動で釘が抜けない様に、釘の先端を折り曲げる等して、強固に打ち付けてある為、従来の釘抜きや金槌を使用して解体するには、中腰の姿勢で作業する等、労力と時間が必要であった。
【課題を解決するための手段】
【０００４】  そこで、一方の木枠材を跨ぐ様に（図２）、木枠材３の幅より広くＵ型に加工した金属製のアングル状の物に、長い柄を溶接した木枠ばらし器を考案した（図１）。この木枠ばらし器を使用する事で、木枠材自体を釘と一緒に容易に分離することが出来る。
【考案の効果】
【０００５】  よって、本考案の木枠ばらし器を使用する事で、柄が長いので中腰になることもなく、テコの原理で僅かな力で容易に木枠材を解体することが出来る。
【考案を実施するための最良の形態】
【０００６】  本考案に係る木枠ばらし器１０は、図１に示すように、木枠材３の巾より広く、Ｕ型に加工したしたアングル状の物１と、長い柄２から形成されている。素材は金属を使用する。
【図面の簡単な説明】
【０００７】
【図１】  本考案に係る木枠ばらし器の斜視図である。
【図２】  本考案の使用中の斜視図である。
【符号の説明】
【０００８】  １      Ｕ型に加工したアングル状の物
２      柄
３      木枠材
４      釘
【図１】
0003151579.tif 000003
【図２】
0003151579.tif 000004
【手続補正書】
【提出日】平成21年3月24日(2009.3.24)
【手続補正１】
【補正対象書類名】実用新案登録請求の範囲
【補正対象項目名】全文
【補正方法】変更
【補正の内容】
【実用新案登録請求の範囲】
【請求項１】
Ｕ型に加工したアングル状の物に、柄を固定した木枠ばらし器
(57)【要約】      （修正有）【課題】軽量で縫製作業が簡単に出来、且つ、保温性や経済性に優れた保温用腰当てを提供する。【解決手段】ズボンやスラックスやスカート等の洋服部材１の腰裏部に装着して保温性を向上する腰当てにおいて、ズボンやスラックスやスカート等の洋服部材の上端内側の腰裏部に、所定幅Ｘと所定長さＬを有する軽量起毛メッシュの腰当て２を縫着して該保湿用腰当てを構成する。【選択図】図１
0003151540.tif 000002
【実用新案登録請求の範囲】
【請求項１】
ズボンやスラックスやスカート等の洋服部材（１）の腰裏部に装着して保温性を向上する腰当てにおいて、ズボンやスラックスやスカート等の上端内側の腰裏部に所定幅（Ｘ）と所定長さ（Ｌ）を有する軽量起毛メッシュの腰当て（２）を縫着して設けた事を特徴とする保温用腰当て。
【考案の詳細な説明】
【技術分野】
【０００１】
この考案は、ズボンやスラックスやスカート等の洋服部材に装着する保温用腰当てに関するものである。
【背景技術】
【０００２】
従来、スラックスやズボン等（以下「ズボン」という）は、通常右前、左前、右後、左後、及び、腰部から成り、更に前中心部にはファスナーが縫着され、且つ、所定位置にポケットが縫製された構成で形成されている。
【０００３】
そして、このようなズボンには、保温及び汗を吸収してズボンの表地を保護する為に、裏地が縫製されているものがある。この裏地は主に脚部の前面に設けられており、ベルト下部から膝部分を覆う様に左右前の表地の裏面部に縫製されている。
【０００４】
更に、夏物のズボンの場合には、比較的薄手の表地を用いて製作され、又、白色に近い色の表地を用いて製作される事が多い。このような表地を用いてズボンを製作すると、下着等が透けてしまうという問題を生じる為、股上部分全体及び脚の前面を覆う様に裏地を付けたものもある。
【０００５】
従って、従来のズボンの裏地は、表地等に一体に縫製されていたので、次の様な問題がある。即ち、裏地の材質は、表地の材質に比べ比較的柔らかい素材の布地が使用され、この裏地は表地の裏面側に重なり合う様に縫製されており、特に腰部においては、芯材、腰当て、及び、ポケットの袋布等、複数枚の布地と共に縫製されている。このように、柔らかい素材から成る裏地を硬い素材に縫製するのには熟練を要するものであり、又、縫製作業の際に、大きな裏地が邪魔に成り、且つ、デザイン上縫い目が表に出ない様にしなければならないので、作業時間が掛かり、縫製の作業能率の点で問題があった。
【先行技術文献】
【特許文献】
【０００６】
これまでに出願されている保温用ズボン腰当てに関連した特許文献を参考の為、紹介する。（特許文献１参照）
【特許文献１】登録実用新案第３０４８０４１号
【考案の概要】
【考案が解決しようとする課題】
【０００７】
そこで、上記課題を解決する為に、この考案は軽量で縫製作業が簡単に出来、且つ、保温性や経済性に優れた保温用腰当てを開発・提供する事にある。
【課題を解決するための手段】
【０００８】
課題を解決するための手段として、ズボンやスラックスやスカート等の洋服部材の上端内側の腰裏部に所定幅と所定長さを有する軽量起毛メッシュの腰当てを縫着して設けた事を特徴とするものである。
【考案の効果】
【０００９】
この考案の効果として、ズボンやスラックスやスカート等の洋服部材の上端内側の腰裏部に所定幅と所定長さを有する軽量起毛メッシュの腰当てを縫着して設けた事で、保温効果と軽量化を図り、且つ、縫製作業の効率化、及び、コスト低減を可能にし、経済的である等、極めて有益なる効果を奏するものである。
【図面の簡単な説明】
【００１０】
【図１】この考案の一実施例を示し、保温用腰当て付ズボンの腰回り部の展開図である。
【図２】この考案の一実施例を示し、保温用腰当て付ズボンの斜視図である。
【考案を実施するための形態】
【００１１】
考案を実施するための形態として、ズボンやスラックスやスカート等の洋服部材（１）の腰裏部に装着して保温性を向上する腰当てにおいて、ズボンやスラックスやスカート等の上端内側の腰裏部に所定幅（Ｘ）と所定長さ（Ｌ）を有する軽量起毛メッシュの腰当て（２）を縫着して設けた事を特徴とする保温用腰当てから構成される。
【実施例１】
【００１２】
この考案の詳細について説明すると、例えば図１に示す様にズボン（１）の上端部内側の全周腰裏部に所定幅（Ｘ）３０ｍｍと胴周りに合わせた所定長さ（Ｌ）の軽量起毛メッシュの保温腰当て（２）を縫着して設けたものである。
【００１３】
又、図２は保温用腰当て付ズボン全体の斜視図を示したものである。
【００１４】
又、本考案の保温用腰当てはズボンのみに限らず、スラックスやスカート等の洋服部材（１）にも幅広く適用可能である。
【産業上の利用可能性】
【００１５】
この考案の保温用腰当ては、軽量で縫製作業が簡単に出来、且つ、保温性に優れている事で、多くの衣料関係市場に寄与する為、産業上の利用可能性を有する。
【符号の説明】
【００１６】
１  洋服部材
２  軽量起毛メッシュの腰当て
Ｘ  所定幅
Ｌ  所定長さ
【図１】
0003151540.tif 000003
【図２】
0003151540.tif 000004
(57)【要約】      （修正有）【課題】マスクの縁と顔面の皮膚との間の隙間をなくして、吸気排気の漏れを低減し、顔面での装着位置がずれることを防止できるマスクを提供する。【解決手段】通気性のマスク本体部分１の縁の全周に粘着性ゲル材２１を配設し、顔面に装着した時に顔面の鼻に当接する領域にも粘着性ゲル材２２を配設した。前記マスク本体部分は、ガーゼ材１１と不織布材１２とを積層して形成し、前記粘着性ゲル材には、ビタミン成分、コエンザイムＱ１０成分、ゲルマニウム成分、トルマリン成分、もしくは竹炭成分の少なくとも何れか１つの成分を含有させる。【選択図】図１
0003151536.tif 000002
【実用新案登録請求の範囲】
【請求項１】
通気性のマスク本体部分の縁の全周に粘着性ゲル材を配設し、
顔面に装着した時に顔面の鼻に当接する領域にも粘着性ゲル材を配設したことを最も主要な特徴とするマスク。
【請求項２】
前記マスク本体部分は、ガーゼ材と不織布材とを積層して形成したことを特徴とする請求項１に記載のマスク。
【請求項３】
前記粘着性ゲル材には、
ビタミン成分、コエンザイムＱ１０成分、ゲルマニウム成分、トルマリン成分、もしくは竹炭成分の少なくとも何れか１つの成分を含有していることを特徴とする請求項１、２の何れか１項に記載のマスク。
【考案の詳細な説明】
【技術分野】
【０００１】
本考案は、口と鼻を覆うマスクに関するものである。
【背景技術】
【０００２】
従来市販されている一般的なマスクは、ゴムバンドを両耳に掛けて装着する形態のものが多い。
しかし、このようなゴムバンド装着型のマスクは、装着した状態において、顔面の肌とマスクの縁との間に隙間ができてしまい、その隙間から呼吸による吸気と排気の漏れが発生するという問題がある。このような吸気排気漏れは、本来であれば、マスクによって取り除かれるはずの外気中の細菌やウィルスや浮遊物質などが人体に吸入されてしまう可能性が高いということが様々な研究結果により明らかにされている。
【０００３】
そこで、マスクの縁と皮膚の間の隙間を無くすために、ゴムバンドを使用せずに、マスクの縁に粘着シールを設け、この粘着シールを皮膚に粘着させることによって、ガーゼの縁と皮膚の間に隙間が生じないようにしたものも提案されている。（特許文献１参照。）
【０００４】
しかし、特許文献１に記載のマスクのように、ゴムバンドを使用しないものは、顔面での装着位置がずれやすいという問題がある。
そこで、顔面における鼻の凸部に対応して、マスクが鼻に当たる部分にくぼみを形成して、そのくぼみが丁度鼻の凸部に掛かるようにして、顔面におけるマスクのずれを防止するように構成したマスクが提案されている。（特許文献２参照。）
【先行技術文献】
【特許文献】
【０００５】
【特許文献１】特開平１０−２４８９４８号公報
【特許文献２】特開２００９−４２０号公報
【考案の概要】
【考案が解決しようとする課題】
【０００６】
しかし、本来はガーゼ質の通気性の生地で形成されているマスクにくぼみを形成することは困難であり、低コストでマスクを作製することはできないという問題がある。また、マスクの縁だけの粘着力では、マスクを顔面に装着した状態で保持することは困難であった。
そこで、本実用新案は、ゴムバンド装着型でないマスクを、顔面により確実に装着した状態で保持することが可能な構造を提案するためになされたものである。
【課題を解決するための手段】
【０００７】
本考案は、
通気性のマスク本体部分の縁の全周に粘着性ゲル材を配設し、
顔面に装着した時に顔面の鼻に当接する領域にも粘着性ゲル材を配設したことを最も主要な特徴とする。
請求項２では、
前記マスク本体部分は、ガーゼ材と不織布材とを積層して形成した。
請求項３では、
前記粘着性ゲル材には、
ビタミン成分、コエンザイムＱ１０成分、ゲルマニウム成分、トルマリン成分、もしくは竹炭成分の少なくとも何れか１つの成分を含有している。
【考案の効果】
【０００８】
本考案にかかるマスクでは、
通気性のマスク本体部分の縁の全周に粘着性ゲル材を配設し、
顔面に装着した時に顔面の鼻に当接する領域にも粘着性ゲル材を配設したので、
装着時に位置がずれにくいという効果が得られる。
また、前記マスク本体部分は、ガーゼ材と不織布材とを積層して形成したので、優れた使用感とフィルター効果が得られる。
また、前記粘着性ゲル材には、
ビタミン成分、コエンザイムＱ１０成分、ゲルマニウム成分、トルマリン成分、もしくは竹炭成分の少なくとも何れか１つの成分を含有しているので、それぞれの薬剤効果が得られる。
【図面の簡単な説明】
【０００９】
【図１】本考案にかかるマスクを顔面装着側から見た平面図である。
【図２】前記マスクの側面断面図である。
【図３】実施例２のマスクの平面図である。
【考案を実施するための形態】
【００１０】
本考案にかかるマスクは、
通気性のマスク本体部分の縁の全周に粘着性ゲル材を配設したので、顔面の皮膚とマスク本体部分とが前記粘着性ゲル材によって密着する。よって、マスク本体部分の縁の部分からの吸気排気の漏れを防ぐことができる。
また、顔面に装着した時に顔面の鼻に当接する領域にも粘着性ゲル材を配設したので、鼻に粘着して密着するので、ずれにくい。
なお、ゴムバンドを用いることなく、顔面に装着することができるが、ゴムバンドを備えてもよい。
【実施例１】
【００１１】
図１は、本考案に係るマスクの平面図であって、マスク１の裏側（顔面に密着する側）の縁の部分には、全周にわたって１ミリから１０ミリ程度の幅で粘着性ゲル材２１を粘着させて配設している。
さらに、前記マスク１の中央部分から上の領域には、鼻に粘着させるための粘着性ゲル材２２を粘着させて配設している。この粘着性ゲル材２２は、鼻の形状に応じた形状とすることが望ましく、例えば、台形状とする。
【００１２】
図２は、前記マスク１の側面断面図であり、前記マスク１の裏側（顔面に密着する側）はガーゼ素材１１であり、表側は不織布素材１２としている。
さらに、前記マスク１の中央部分から上の領域には、前述したように鼻に粘着させるための粘着性ゲル材２２を粘着させて配設している。
【００１３】
以上のように、鼻の部分にも粘着性ゲル材を配設したので、顔面に装着したとき、まず、全体的には、縁の部分の粘着性ゲル材２１によってマスクは顔面に密着し、さらに、鼻の部分の粘着性ゲル材２２が人の鼻に密着する。
したがって、マスク１の縁からの吸気排気の漏れは防ぐことができるとともに、顔面での位置がずれることも防止することができる。
【実施例２】
【００１４】
図３は、実施例２のマスク１Ａの平面図である。
このマスク１Ａでは、鼻に粘着させるための粘着性ゲル材２２Ａの形状を逆Ｔ字状として、小鼻の部分にも粘着性ゲル材が密着するようにした。
【符号の説明】
【００１５】
１    マスク
１１  ガーゼ材
１２  不織布材
２１  縁の粘着性ゲル材
２２  鼻に当たる部分の粘着性ゲル材
【図１】
0003151536.tif 000003
【図２】
0003151536.tif 000004
【図３】
0003151536.tif 000005
(57)【要約】      （修正有）【課題】軽量で保温性に優れ、且つ、容易に着脱可能で温度変化に対応可能な着脱式保温背当てを提供する。【解決手段】背丈の約２／３の長さ寸法と上衣の背幅が着用時に違和感の無い最適な横幅寸法を有する軽量起毛加工メッシュで形成した保温背当て部と、保温背当て部の両肩部左右及び下端部左右に縫着した釦・ワッカー等の係止具から成り、且つ、温度変化や状況に応じて容易に着脱可能に設けたものである。【選択図】図２
0003151539.tif 000002
【実用新案登録請求の範囲】
【請求項１】
上衣の内側背部に保温用衣として装着する背当てにおいて、背丈の約２／３の長さ寸法（Ｈ）と上衣（Ｃ）の背幅が着用時に違和感の無い最適な横幅寸法（Ｗ）を有する軽量起毛加工メッシュで形成した保温背当て部（１）と、保温背当て部の両肩部左右及び下端部左右に縫着した釦・ワッカー等の係止具（２）（３）から成り、且つ、温度変化や状況に応じて容易に着脱可能に設けた事を特徴とする着脱式保温背当て。
【考案の詳細な説明】
【技術分野】
【０００１】
この考案は、上衣の内側背部に保温用衣として装着する着脱式保温背当てに関するものである。
【背景技術】
【０００２】
従来、季節の変わり目等、朝・昼・晩の温度変化が著しい時期は、服装の着用枚数や、衣類の選別に苦労する事が多々ある。何故かというと、こうした時期は、特に出勤時等、朝家を出る時は寒くても、昼間には気温が上昇して温かく成り、又、夕方帰宅時には気温が下がって寒く成る時等、温度変化に対応する為には、服装の枚数を加減して調整するしか方法がない。しかし、かといって服装の着用枚数を増やせば増やすほど、身体に負担が掛かり、肩凝り等の原因にも成る。又、途中で厚く成って、上衣を脱げば荷物に成って邪魔に成る。又、逆に朝出る時、少し寒いけど我慢して薄着で家を出て、風邪をひいてしまったりする事も良くある。
【０００３】
そこで、こうした問題を解消する為、温度変化に即座に対応出来き、軽量で簡単に上衣に装着可能な着脱式保温背当ての開発が望まれている。
【先行技術文献】
【特許文献】
【０００４】
これまでに出願されている着脱式保温背当てに関する特許文献を参考の為、紹介する（特許文献１〜２参照）。
【特許文献１】登録実用新案第３０３５０２６号
【特許文献２】登録実用新案第３１２４７３８号
【考案の概要】
【考案が解決しようとする課題】
【０００５】
そこで、上記課題を解決する為に、この考案は軽量で保温性に優れ、且つ、容易に着脱可能で温度変化に対応可能な着脱式保温背当てを開発・提供する事にある。
【課題を解決するための手段】
【０００６】
課題を解決するための手段として、背丈の約２／３の長さ寸法と上衣の背幅が着用時に違和感の無い最適な横幅寸法を有する軽量起毛加工メッシュで形成した保温背当て部と、保温背当て部の両肩部左右及び下端部左右に縫着した釦・ワッカー等の係止具から成り、且つ、温度変化や状況に応じて容易に着脱可能に設けたものである。
【考案の効果】
【０００７】
この考案の効果として、背丈の約２／３の長さ寸法と上衣の背幅が着用時に違和感の無い最適な横幅寸法を有する軽量起毛加工メッシュで形成した保温背当て部と、保温背当て部の両肩部左右及び下端部左右に縫着した釦・ワッカー等の係止具から成り、且つ、温度変化や状況に応じて容易に着脱可能に設けた事で、軽量で保温性に優れ、且つ、容易に着脱可能で温度変化に対応可能にする等、極めて有益なる効果を奏するものである。
【図面の簡単な説明】
【０００８】
【図１】この考案の一実施例を示し、着脱式保温背当ての正面図である。
【図２】この考案の使用例を示し、着脱式保温背当ての上衣への取付要領図である。
【考案を実施するための形態】
【０００９】
考案を実施するための形態として、上衣の内側背部に保温用衣として装着する背当てにおいて、背丈の約２／３の長さ寸法（Ｈ）と上衣（Ｃ）の背幅が着用時に違和感の無い最適な横幅寸法（Ｗ）を有する軽量起毛加工メッシュで形成した保温背当て部（１）と、保温背当て部の両肩部左右及び下端部左右に縫着した釦・ワッカー等の係止具（２）（３）から成り、且つ、温度変化や状況に応じて容易に着脱可能に設けた事を特徴とする着脱式保温背当てから構成される。
【実施例１】
【００１０】
そこで、この考案の一実施例を図１に基づいて詳述すると、保温背当て部（１）は軽量起毛加工メッシュで形成され、且つ、大きさは背丈の約２／３の長さ寸法（Ｈ）と横幅寸法が上衣の背面幅よりやや狭目で、着用時に違和感の無い最適な横幅寸法（Ｗ）に形成されている。
【００１１】
そして、保温背当て部（１）の両肩部左右と下端部左右に係止用釦を縫着し、且つ、上衣の背面内側には、保温背当て部（１）側に設けた釦（２）係止用の略Ｕ字状のワッカー（３）を釦の取付位置に合わせて縫着したものである。
【００１２】
又、この考案の取付・取り外し要領について説明すると、図２に示す様に保温背当て部（１）の両肩部左右と、下端部左右にそれぞれ設けた釦を、上衣の背面に縫着した略Ｕ字状のワッカー（３）部にそれぞれ係止して着用する。
【００１３】
そして、気温が上昇して熱く成り、保温背当て部（１）を取り外したい場合は、全釦（２）の係止部をワッカー（３）から外して上衣（Ｃ）のみを着用する。
【産業上の利用可能性】
【００１４】
この考案の着脱式保温背当ては、軽量で保温性に優れ、且つ、容易に着脱可能で温度変化に対応可能にする為、多くの市場に寄与する為、産業上の利用可能性を有する。
【符号の説明】
【００１５】
１  保温背当て部
２  釦等の係止具
３  ワッカー等の係止具
Ｃ  上衣
Ｈ  長さ寸法
Ｗ  横幅寸法
【図１】
0003151539.tif 000003
【図２】
0003151539.tif 000004
(57)【要約】      （修正有）【課題】冬季や寒冷地において冷えていても、運転初期から安全運転ができる車のハンドルを提供する。【解決の手段】ハンドルのステアリング部に車のバッテリーを電源とする電熱ヒーターを組み込み、スイッチを入れることによりハンドルを暖かくする。【選択図】図２
0003151592.tif 000002
【実用新案登録請求の範囲】
【請求項１】
自動車のハンドル（手で握るステアリング部）に車のバッテリーを電源とする電熱ヒーターを組み込み、スイッチを入れることによりハンドルが暖まり、冬季や寒冷地で手のぬくもりを確保し体のぬくもりにつなげると共に安全運転にもつながるあったかハンドル。
【考案の詳細な説明】
【考案の詳細な説明】
【技術分野】
【０００１】  本考案はすべての車のハンドルに応用でき体の冷えの予防と安全運転に寄与する。
【背景技術】
【０００２】冬季・寒冷地で車の始動運転時ハンドル（ステアリング部）を手で握るが大変冷たいく手袋を使用したくなる。
【考案が解決しようとする課題】
【０００３】冬季・寒冷地などで車を運転する時は車のハンドル（ステアリング部）が大変冷たい。ついハンドルを持つ手が片手になったりしっかりと掴めなかったりする。手袋など使うと滑ったりして安全運転の支障となる。
【課題を解決するための手段】
【０００４】自動車のハンドル（手で握るステアリング部）に車のバッテリーを電源とする電熱ヒーターを組み込み、冬季や寒冷地でも電源を入れることによりステアリング部を暖かくする。
【考案を実施するための形態】
【０００５】現在の自動車のハンドル（ステアリング）に車のバッテリーを電源とする電熱ヒーターを組み込みその上をハンドルの通常の仕上げ材にてカバーし仕上げる。
【考案の効果】
【０００６】  本考案は以上に説明したような構成により次のような効果を奏する。
ハンドル（ステアリング）を持つ手が冷えないし運転初期の体の冷えの予防にも効果がありまた、ハンドルをしっかり持てることにより、安全運転にもつながる。
【図１】
0003151592.tif 000003
【図２】
0003151592.tif 000004
【手続補正書】
【提出日】平成21年4月2日(2009.4.2)
【手続補正１】
【補正対象書類名】実用新案登録請求の範囲
【補正対象項目名】全文
【補正方法】変更
【補正の内容】
【実用新案登録請求の範囲】
【請求項１】
自動車のハンドルの手で握るステアリング部に車のバッテリーを電源とする電熱ヒーターを組み込み、バッテリーからの電源スイッチを入れることにより電熱ヒーターに通電しハンドルのステアリング部が暖まり、冬季や寒冷地で手のぬくもりを確保し体のぬくもりにつなげると共に安全運転にもつながるあったかハンドル。
【手続補正２】
【補正対象書類名】明細書
【補正対象項目名】全文
【補正方法】変更
【補正の内容】
【考案の詳細な説明】
【考案の詳細な説明】
【技術分野】
【０００１】本考案はすべての車のハンドルに応用でき体の冷えの予防と安全運転に寄与する。
【背景技術】
【０００２】冬季・寒冷地で車の始動運転時ハンドルのステアリング部を手で握るが大変冷たくしっかりと掴めないし手袋を使用したくなる。
【考案が解決しようとする課題】
【０００３】冬季・寒冷地などで車を運転する時は車のハンドルのステアリング部が大変冷たい。ついステアリングを持つ手が片手になったりしっかりと掴めなかったりする。手袋などを使うと滑ったりして安全運転の支障となる。
【課題を解決するための手段】
【０００４】自動車のハンドルの手で握るステアリング部に車のバッテリーを電源とする電熱ヒーターを組み込み、冬季や寒冷地でもバッテリーからの電源スイッチを入れることによりステアリング部に組み込んだ電熱ヒーターが発熱しステアリング部を暖かくする。
【考案を実施するための形態】
【０００５】現在の自動車のハンドルのステアリング部に車のバッテリーを電源とする電熱ヒーターを組み込みその上を通常の仕上げ材でカバーして仕上げる。またバッテリーからの電源配線はスイッチを経由してスイッチを入れることにより作動する。
【考案の効果】
【０００６】本考案は以上に説明したような構成により次のような効果を奏する。ハンドルのステアリング部を持つ手が冷えないし運転初期の体の冷えの予防にも効果がありまた、ハンドルをしっかりと掴めることにより、安全運転にもつながる。
【図面の簡単な説明】
【０００７】
【図１】ハンドルの正面図
【図２】ハンドルの側面図
【符号の説明】
【０００８】１  ハンドルのホーン部
２  ステアリング
３  電熱ヒーター
４  ハンドルのシャフト部
５  電源への配線
(57)【要約】      （修正有）【課題】顔のコリ、むくみなどを解消し、肌の老廃物・皮脂・角質を取り除き簡易に掃除でき清潔的保つ美顔ローラーを提供する。【解決手段】美容もしくは美顔用の機器であって３つのステンレス球がツメ型のボール支えに露出し、配置され３つの前記ステンレス球が各々単独に３６０°回転することで、顔の筋肉を奥底からもみほぐせる様にして美顔ローラーを構成する。また、上記のツメ型のボール支えと前記ステンレス球を装着し、底部分に空間を設けて、そこに肌から付着する老廃物・皮脂・角質が溜まるように構成することで清掃も容易にする。【選択図】図１
0003151598.tif 000002
【実用新案登録請求の範囲】
【請求項１】
３つのステンレス球が各々単独に３６０°回転し、顔の筋肉を奥底からもみほぐせる美顔ローラー。
【請求項２】
ステンレス球を支えるボール支えの底には肌から付着する老廃物・皮脂・角質が溜まり、機器の掃除も簡易にできる美顔ローラー。
【考案の詳細な説明】
【技術分野】
【０００１】  本案は、顔のコリ及びむくみなどを解消し老廃物・皮脂・角質の除去を可能にし機器の掃除も簡易に出来る美顔ローラーに関するものである。
【背景技術】
【０００２】  従来ではステッィク状の美容ローラーを使用。スティック状では肌をなでまわす位の刺激にしかならず表情筋、咀嚼筋という深部の筋肉までもみほぐし血流を良好にする効果が得られなかった。また掃除も困難で不衛生であった。
【考案の概要】
【考案が解決しようとする課題】
【０００３】  本案件は筋肉を奥底からもみほぐすという点を考慮し、かつ皮膚にやさしい機能を有する。さらに掃除が簡易に出来るという衛生面での付加価値をつけるというものである。
【課題を解決する為の手段】
【０００４】  本考案は、本体（※図１参照）のものに３つのツメ（以下、ボール支え）を設け、そこに３つのステンレス球を装着し、ステンレス球が３６０°回転（※図２参照）し、筋肉を奥底からもみほぐせ、皮膚に摩擦を加えなくしている。ゲルマニウムや鉱石の効果というものではなく顔筋をもみほぐせるという実感できる効果として問題点を解決している。
【考案の効果】
【０００５】  従来のステッィク状の美容ローラーでは届かなかった鼻のつけねやあごのラインを程よい力を与えてのマッサージは難しかったが３つのステンレス球の配置と圧力を加えやすい本体の形状により解決している。
さらに、使用後はキャップをし、手の平にキャップ側を叩きつける（※図３参照）事により３つのステンレス球が外れボール支えの底に顔の老廃物・皮脂・角質が溜まり（※図４参照）、掃除が簡易に行える事で清潔を保てるものになっている。
【図面の簡単な説明】
【０００６】
【図１】  本美顔ローラーの本体とボール支えをセパレートさせた図面
【図２】  本考案の美顔ローラーの一手段を示すものである。
【図３】  本考案の美顔ローラーの一実施例を示すものである。
【図４】  本考案の美顔ローラーの一効果例を示すものである。
【符号の説明】
【０００７】  １  本体
２  キャップ
３  ボール支え
４  ステンレス球（Φ１４．２）
0003151598.tif 000003
【図１】
0003151598.tif 000004
【図２】
0003151598.tif 000005
【図３】
0003151598.tif 000006
【図４】
0003151598.tif 000007
【手続補正書】
【提出日】平成21年4月6日(2009.4.6)
【手続補正１】
【補正対象書類名】明細書
【補正対象項目名】全文
【補正方法】変更
【補正の内容】
【考案の詳細な説明】
【技術分野】
【０００１】  本案は、顔のコリ及びむくみなどを解消し老廃物・皮脂・角質の除去を可能にし機器の掃除も簡易に出来る美顔ローラーに関するものである。
【背景技術】
【０００２】  従来ではステッィク状の美容ローラーを使用。スティック状では肌をなでまわす位の刺激にしかならず表情筋、咀嚼筋という深部の筋肉までもみほぐし血流を良好にする効果が得られなかった。また掃除も困難で不衛生であった。
【考案の概要】
【考案が解決しようとする課題】
【０００３】  本案件は筋肉を奥底からもみほぐすという点を考慮し、かつ皮膚にやさしい機能を有する。さらに掃除が簡易に出来るという衛生面での付加価値をつけるというものである。
【課題を解決する為の手段】
【０００４】  本考案は、本体（※図１参照）のものに３つのツメ（以下、ボール支え）を設け、そこに３つのステンレス球を装着し、ステンレス球が３６０°回転（※図２参照）し、筋肉を奥底からも、皮膚に摩擦を加えなくしている。ゲルマニウムや鉱石の効果というものではなく顔筋をもみほぐせぐせるという実感できる効果として問題点を解決している。
【考案の効果】
【０００５】  従来のステッィク状の美容ローラーでは届かなかった鼻のつけねやあごのラインを程よい力を与えてのマッサージは難しかったが３つのステンレス球の配置と圧力を加えやすい本体の形状により解決している。
さらに、使用後はキャップをし、手の平にキャップ側を叩きつける（※図３参照）事により３つのステンレス球が外れボール支えの底に顔の老廃物・皮脂・角質が溜まり（※図４参照）、掃除が簡易に行える事で清潔を保てるものになっている。
【図面の簡単な説明】
【０００６】
【図１】  本美顔ローラーの本体とボール支えをセパレートさせた図面である。
【図２】  本考案の美顔ローラーの一手段である。
【図３】  本考案の美顔ローラーの一実施例である。
【図４】  本考案の美顔ローラーの一効果例である。
【図５】  本考案の美顔ローラーの正面図である。
【図６】  本考案の美顔ローラーの斜図である。
【符号の説明】
【０００７】  １  本体
２  キャップ
３  ボール支え
４  ステンレス球（Φ１４．２）
【手続補正２】
【補正対象書類名】実用新案登録請求の範囲
【補正対象項目名】全文
【補正方法】変更
【補正の内容】
【実用新案登録請求の範囲】
【請求項１】
美容もしくは美顔用の機器であって３つのステンレス球がツメ型のボール支えに露出し、配置され３つの前記ステンレス球が各々単独に３６０°回転し、顔の筋肉を奥底からもみほぐせる様に構成したことを特徴とする美顔ローラー。
【請求項２】
前記ツメ型のボール支えと前記ステンレス球を装着し底部分に空間を設け、そこに肌から付着する老廃物・皮脂・角質が溜まることを特徴とする請求項１記載の美顔ローラー。
【請求項３】
美容もしくは美顔用の機器であって前記ステンレス球が前記ツメ型ボール支えに露出して配置され、別パーツであるキャップをしキャップ部分を下に向け手の平に軽く叩きつけることで前記ステンレス球の取り外しを可能とし、前記ツメ型ボール支えに付着している顔の老廃物・皮脂・角質を掃除できることを特徴とする請求項１記載の美顔ローラー。
【手続補正３】
【補正対象書類名】図面
【補正対象項目名】全図
【補正方法】変更
【補正の内容】
【図１】
0003151598.tif 000008
【図２】
0003151598.tif 000009
【図３】
0003151598.tif 000010
【図４】
0003151598.tif 000011
【図５】
0003151598.tif 000012
【図６】
0003151598.tif 000013
(57)【要約】      （修正有）【課題】蛍光マーカーを使用すれば、自由に文字や絵を書く事が可能な表示板を提供する。【解決手段】表面はプラスチック板であり、枠に沿って発光ダイオード（ＬＥＤ）が配列される。プラスチック面板上に蛍光マーカーで文字又は絵を書けば、ＬＥＤ光源を用いる事によりその文字や絵が強調され目立つ。ＬＥＤ光源の光の強さを緩衝するために、配列された発光ダイオード（ＬＥＤ）の上部に直接、透明又は半透明プラスチック枠を設置する。夜間でも文字や絵を明瞭に現わす事が可能なので、夜間の店頭に設置すれば、特に効果が発揮される。従って夜間の集客にも繋がる。【選択図】図２
0003151591.tif 000002
【実用新案登録請求の範囲】
【請求項１】
表面はプラスチック板であり、枠に沿って発光ダイオード（ＬＥＤ）が配列される。プラスチック面板上に蛍光マーカーで文字又は絵を書けば、ＬＥＤ光源を用いる事によりその文字や絵が強調され目立つ。
【請求項２】
ＬＥＤ光源の光の強さを緩衝するために、配列された発光ダイオード（ＬＥＤ）の上部に直接、透明又は半透明プラスチック枠を設置する。
【請求項３】
当該製品が開閉式の場合、額縁用途での使用も可能。
【請求項４】
防水機能を加える場合、屋外でも使用可能。
【考案の詳細な説明】
【背景技術】
【０００１】一般的に使用されるブラックボードは主に昼間に使用されるが、当該製品は黒いプラスチック面沿いに配列されたＬＥＤを発光させることにより、ブラックボード表面に現わされた文字や絵がはっきりと目立つので夜間でも使用可能。
【考案の効果】
【０００２】従来のＬＥＤ文字は予め設定した文字しか表示できなかったが、当該製品は蛍光マーカーを使用すれば、自由に文字や絵を書く事が可能。
【考案を実施する為の形態】
【０００３】多角形又は円形。枠はプラスチック製又は木製。
表面は透明プラスチック板。
【産業上の利用可能性】
【０００４】夜間でも目立つ製品故、夜間営業店舗に設置される可能性。
【図面の簡単な説明】
【０００５】
【図１】正面図
【図２】分解図
【符号の説明】
【０００６】▲１▼枠
▲２▼発光ダイオード（ＬＥＤ）
▲３▼コントローラー
▲４▼電源（コンセント）
▲５▼黒いプラスチック面
▲６▼透明プラスチック板
▲７▼透明又は半透明プラスチック枠
【図１】
0003151591.tif 000003
【図２】
0003151591.tif 000004
【手続補正書】
【提出日】平成21年4月3日(2009.4.3)
【手続補正１】
【補正対象書類名】実用新案登録請求の範囲
【補正対象項目名】全文
【補正方法】変更
【補正の内容】
【実用新案登録請求の範囲】
【請求項１】
表面はプラスチック板であり、枠に沿って発光ダイオード（ＬＥＤ）が配列され、プラスチック面板上に蛍光マーカーで文字又は絵を書けば、ＬＥＤ光源を用いる事によりその文字や絵が強調される発光ダイオード（ＬＥＤ）内蔵ブラックボード。
【請求項２】
ＬＥＤ光源の光の強さを緩衝するために、配列された発光ダイオード（ＬＥＤ）の上部に直接、透明又は半透明プラスチック枠を設置する請求項１記載の発光ダイオード（ＬＥＤ）内蔵ブラックボード。
【請求項３】
当該製品が開閉式の場合、額縁用途での使用も可能な請求項１記載の発光ダイオード（ＬＥＤ）内蔵ブラックボード。
【請求項４】
防水機能を加える場合、屋外でも使用可能な請求項１記載の発光ダイオード（ＬＥＤ）内蔵ブラックボード。
(57)【要約】      （修正有）【課題】両端がグリップとして使用出来て、指でスイッチ操作が容易であり、携帯にも便利な、ゴルフスウィング軌道が習得出来る練習器具を提供する。【解決手段】光源を中央部分に設置して加工したジョイントを利用して２分割出来、握った指でスイッチ操作を容易にオン、オフ可能にし、且つ両端をグリップとして利用出来る。【選択図】図１
0003151597.tif 000002
【実用新案登録請求の範囲】
【請求項１】
光源を中央部分の１箇所に説置する事により、両端がグリップとして使用出来る練習器具。
【請求項２】
ジョイント式にする事により、携帯便利に小型化される練習器具。
【考案の詳細な説明】
【技術分野】
【０００１】  本考案は１つの光源で先端部もグリップとして使い反転する事により、先端とグリップの両方の正しいスウィング軌道が学べる組立式家庭用室内ゴルフ練習器具である。
【背景技術】
【０００２】  従来から物は光源が２つ以上あり長尺で携帯にも室内練習にも不向きである。
【先行技術文献】
【０００３】  最強のスウィング徹底コーチング。  江連  忠  著。  （株）宝島社。Ｐ５８，５９。
【考案の概要】
【考案が解決しようとする課題】
【０００４】  高価なレーザー光線が１つで済み、組立式によりポケットにも入り携帯にも便利でどこでも気軽に明るい所でも正しいスウィング軌道が習得できる。
【課題を解決するための手段】
【０００５】  光源をスティックの中央部分にもって来る事により両使いを可能にし、更に差込ジョイントを使う事によりスティクを小型化する
【考案の効果】
【０００６】  光源が１つで済み安価で携帯が便利でどこでも気軽に家庭室内で正しいコックとスウィング軌道が習得できる。
【図面の簡単な説明】
【０００７】
【図１】  本考案の平面図
【図２】  本考案の一部切欠断面図
【図３】  本考案のジョイント部斜傾図
【考案を実施するための形態】
【０００８】  スティックの１方の内部にスイッチ付光源を差込み、もう１方のスティックにソケットをジョイントとして差込み結合させ一体化して脱着可能にする。グリップを握る事により指でスイッチオン、オフが出来る。
【実施例】
【０００９】  スティックに水道用エンビパイプを２本使い、１本の端部にスイッチ付レーザーポインターに粘着ビニールテープを隙間調整用に巻付け、これをスティックに差込む。そしてもう１本のパイプに水道用エンビパイプソケットの１部を加工しジョイントとて、パイプ２本を結合させ１本のスティックとして、その両端に太さ調整用パイプを差込み両方使えるグリップとして使用する。【００１０】  スティックに薄肉スチールパイプをエンビパイプの代わりに使い、太さ調整用には水道用ビニールを差し込み０００９と同様に使用する。
【符号の説明】
【００１１】  １  太さ調整材            ５  スイッチ
２  スティック            ６  隙間調整材
３  光源                  ７  レーザーポインター
４  ジョイント
【図１】
0003151597.tif 000003
【図２】
0003151597.tif 000004
【図３】
0003151597.tif 000005
【手続補正書】
【提出日】平成21年4月6日(2009.4.6)
【手続補正１】
【補正対象書類名】実用新案登録請求の範囲
【補正対象項目名】全文
【補正方法】変更
【補正の内容】
【実用新案登録請求の範囲】
【請求項１】
スティック状のゴルフ練習器具であつて、光源を中央部分の１箇所に設置することにより、両端がグリップとして使用出来る練習器具。
【請求項２】
２本のスティックをジョイントする事により、１本のスティックになり、いつでも容易に２分割が可能で携帯便利に小型化されたことを特徴とする請求項１記載の練習器具。
(57)【要約】      （修正有）【課題】本体にボタン式のブザーとライトとクリップを同時に設け、体から近い場所に装着することで、特に小さな子供と女性とお年寄りの防犯に対する俊敏性と安全性をより高いものにし、かつ、使用者が用途に応じて自由に使用でき、軽量化・省力化できる防犯ブザーを提供する。【解決手段】本体１に反射板を用い、選択自由なライト２とライトを選択自由にできる２段階スイッチ３、咄嗟に対応できる突起のついたクリップ４を付け、装着自在にし、防犯機能と表示機能を備え、安全性を高めると共に、開口部５を設けることにより、従来の吊り下げ型も可能にした。即座に押せるようにした押しボタン６にし、本体を軽量化・省力化するためにボタン電池を使用したことにより、俊敏に身の安全を守り、小さな子供や女性やお年寄りが用途に応じ自由に装着し、安心して暗い夜道を通行することが実現できる。【選択図】図１
0003151558.tif 000002
【実用新案登録請求の範囲】
【請求項１】
本体部に選択自由なライトを付け、クリップにより装着自在にすることにより、防犯機能と表示機能を同時にし、安全性を高め、軽量化・省力化を特徴とする防犯ブザー。
【考案の詳細な説明】
【技術分野】
【０００１】本考案は、本体をボタン式にし、ライトとクリップを同時に設けた、防犯ブザーに関するものである。
【背景技術】
【０００２】従来のブザーは、紐で結ぶ（吊り下げ型）又はキーチェーンなどで固定していた。
【考案の開示】
【考案が解決しようとする課題】
【０００３】体に近い場所に装着する事で、暗い夜道で特に小さな子供や女性やお年寄りが即座に対応でき、同時に使用しない時は選択自由な表示機能のあるライトで身の安全を守れる俊敏に使用でき、安全性の高く、軽量化・省力化のあるものにしたい。
【課題の解決する為の手段】
【０００４】本体部に選択自由な反射板ライトを付け、ボタン式にし、装着自在なクリップを使用することで、前項の問題を解決している。
【考案の効果】
【０００５】防犯機能と表示機能を兼ね備えた装着自在なクリップを用いたことにより、防犯対策と交通安全対策を同時に可能にし、俊敏に身の安全を守り、小さな子供や女性やお年寄りが安全に装着でき、安心して暗い夜道を通行できるようになり、更に、軽量化・省力化を可能にする。
【考案を実施するための最良の形態】
【０００６】本体部に選択自由な２段階のライトを付け、使用しない時は消灯できるようにした。ボタンを本体の右端に付けることで咄嗟の犯罪行為に俊敏に対応できる。また、装着自在なクリップで簡単に取り付けられる。また、開口部を設けることで紐で吊り下げることを可能にし、更に、本体にボタン電池格納（充電式可）を備えることで、軽量化・省力化を実現する。
【実施例】
【０００７】図面に従い説明すると、１．本体はプラスチック素材で構成され、表示機能をするための２．反射板ライト３．ライトを選択自由にするための２段階スイッチ４．装着自在にすると共に、装着したときに、その跡を残さないようにした丸い突起の付いたクリップ５．クリップだけでなく、紐で吊るせるようにした吊り下げ用開口６．即座に押せるようにした押しボタン７．本体を軽量化・省力化するためのボタン電池格納。（充電式可）
【図面の簡単な説明】
【０００８】
【図１】防犯ブザーの正面図である
【図２】防犯ブザーを装着するクリップのある背面図である
【符号の説明】
【０００９】  １．    ブザー本体
２．    反射板付ライト
３．    ２段階スイッチ
４．    （４ａ）クリップ
５．    吊り下げ様開口
６．    押しボタン
７．    ボタン電池格納（充電式可）
【図１】
0003151558.tif 000003
【図２】
0003151558.tif 000004
【手続補正書】
【提出日】平成20年10月15日(2008.10.15)
【手続補正１】
【補正対象書類名】実用新案登録請求の範囲
【補正対象項目名】全文
【補正方法】変更
【補正の内容】
【実用新案登録請求の範囲】
【請求項１】
本体部に選択自由なライトを付け、その裏面に咄嗟に対応できる突起のついたクリップを付け、装着自在にすることにより、防犯機能と表示機能を同時にし、安全性を高め、軽量化・省力化を特徴とするブザー。
【手続補正書】
【提出日】平成20年12月22日(2008.12.22)
【手続補正１】
【補正対象書類名】実用新案登録請求の範囲
【補正対象項目名】全文
【補正方法】変更
【補正の内容】
【実用新案登録請求の範囲】
【請求項１】
本体部に表示（消灯・点滅・点灯したまま）が３段階で選べる選択自由なライトを付け、ブザーを使用しない時は夜道などで点滅させる事ができる。暴漢に対し、咄嗟にブザーを鳴らせる様に衣服又はバックの肩掛け部等又は好きな箇所に装着自在にする為に本体裏面にバネの力で挟み込めるクリップを付け、同時に装着後のズレ落ちを防ぐ為に、クリップに突起を設けたものである。その結果、表示機能と防犯機能を同時にできるものとし、安全性を高め、軽量化・省力化を特徴とするブザーである。
【手続補正書】
【提出日】平成21年3月1日(2009.3.1)
【手続補正１】
【補正対象書類名】実用新案登録請求の範囲
【補正対象項目名】全文
【補正方法】変更
【補正の内容】
【実用新案登録請求の範囲】
【請求項１】
本体部に付けたライトは消灯・点滅・点灯したままの３つの表示が選べ、用途に応じた選択を自由にし、ブザーを使用しない時は夜道などで点滅させる事ができると同時に暴漢に対し咄嗟にブザーを鳴らせる様に衣服又はバックの肩掛け部等又は好きな箇所に装着自在にするバネの力で挟み込めるクリップを本体裏面に付け、同時に装着後のズレ落ちを防ぐ為にクリップに突起を設けたものであり、その結果、表示機能と防犯機能を同時にできるものとし、安全性を高め、軽量化・省力化を特徴とするライト付防犯ブザー。